(57)【要約】      （修正有）【課題】浴槽の入浴中に顔および首の保湿ができる保湿用のフェイスタオル、浴用タオルまたは手ぬぐいを提供する。【解決手段】入浴時に体、背中を洗うフェイスタオル１、浴用タオルまたは手ぬぐいに２個の円形状の穴２を設け、直径は２ｃｍから５ｃｍとし、穴の位置は横幅方向の中央で、かつ縦長手方向の端部または２つ折りしたときの中央から穴の中心までを１０ｃｍ以上とし、浴槽でタオルまたは手ぬぐいを縦方向に２つ折りして顔にのせる。【選択図】図１
2020130315.tif 000002
【特許請求の範囲】
【請求項１】
入浴時に体、背中を洗うフェイスタオル、浴用タオルまたは手ぬぐいに２個の円形状の穴を設け、直径は２ｃｍから５ｃｍとし、穴の位置は横幅方向の中央で、かつ縦長手方向の端部または２つ折りしたときの中央から穴の中心までを１０ｃｍ以上とし、浴槽で前記タオルまたは手ぬぐいを縦方向に２つ折りして顔にのせると、穴が重なり呼吸用の穴となり、かつ毛細管現象で、首下につかった湯舟からの湯分が穴に向かって常に上昇、補給されることを特徴とする浴槽で使用する顔および首の保湿用のフェイスタオル、浴用タオルまたは手ぬぐい。
【請求項２】
入浴時に体、背中を洗うフェイスタオル、浴用タオルまたは手ぬぐいに２個または３個の円形状の穴を設け、直径は２ｃｍから５ｃｍとし、穴の位置は横幅方向の中央、かつ縦長手方向に２つ折りまたは３つ折りしたときに折りたたんだ中央とし、浴槽で前記タオルまたは手ぬぐいを顔にのせるとき顔、口の上下方向の位置を迷わず選択でき、２個または３個の穴が重なり呼吸用の穴となり、かつ毛細管現象で、首下につかった湯舟からの湯分が穴に向かって常に上昇、補給されることを特徴とする浴槽で使用する顔および首の保湿用のフェイスタオル、浴用タオルまたは手ぬぐい。
【発明の詳細な説明】
【技術分野】
【０００１】
本発明は、浴槽の入浴中に顔および首の保湿ができるタオルに関する。
【背景技術】
【０００２】
顔および首の美容は大事である。特に首のシワは取れない。美容のために保湿する方法は、従来からよくとられているが首に関するものがない。顔では、たとえば、洗顔しクリーム塗る方法、風呂上りにクリームを塗る方法、フェイスパックをする方法、蒸したフェイスタオルで保湿する方法などがある。ところが、湯船のお湯を利用して顔および首を保湿する方法は、簡単すぎてなのか非衛生的にこだわっているのか分からないが見当たらないのが現状である。短いフェイスタオルを風呂場に持ってきても吊るす余分なスペースがない、寸法が短すぎて背中が洗えないことから浴用にならない。日常的には、湯船に浴用タオルを浸して、額や頭の上に乗せて満足しているところである。美顔のためにフェイスパックする人は多い。日々のパックは大変である。使い捨てなので費用も決して安くない。保湿が肌に良いとすれば、薬剤を含まなくてもよいはずだ。すなわち、日々の入浴時に保湿できれば時間の節約、費用の節約になる。タオルを活用すれば繰り返し使用できる。家庭の居間で使用するフェイスパックには、目、鼻、口の箇所が開いている。目は所要時間に閉じたままでは不安だし、テレビも見えない。鼻口は当然に呼吸に関する。ところが、平らなタオルをベースとするとなるべく穴が開いてない方が加工上もよい。家庭の浴室は、基本的には個人の解放空間である。すなわち、目を閉じている方がリラックスでき、目の箇所に開所がない方が目のまぶたの保温、眼球の疲労回復にもなる。鼻と口は、単にタオルを浴槽の湯で濡らすと、生地の通気性が悪くなり、呼吸のたびに鼻、口に吸い込まれ、呼吸が苦しくなる。そこで、呼吸用の穴を設ける必要がある。そこで、鼻、口の片方だけとするタオルでは、やはり、両方空いていた方が呼吸が楽であると思われた。鼻と口をまとめて大きく開いたタオルでは、保湿できる部分がそれだけ少なくなる。平らなタオル生地を切って穴を開けると立体的な鼻と平面的な口がうまく納まらないと思われたところである。タオルで、鼻と口の箇所を別々に開口とすれば鼻の高さが邪魔をし、納まりが悪い。実際には、口用の穴を開けて見ると鼻の高さが適度の空間をつくるため呼吸は楽であった。一方、タオル生地を裁断する場合、そのままでは切り口の糸がほどけてくる。そこで、縁取りが必要となる。そうであるならば、鼻の高さ部分を縫製する一手間を省略できる。逆に、立体的とする必然性はあまりない。平面の穴でも鼻の高さで持ち上がるので十分に呼吸ができる。特許庁プラットホームで「浴用タオル  穴」、「浴用タオル  呼吸」、「フェイスタオル  穴」、「フェイスタオル  呼吸」で検索した結果、７件、０件、２件、２件であった。このうち、先行技術で該当するのは２件で、特許文献１は、フェイスタオルにメッシュ状に施した呼吸穴が示されているが、タオルは洗顔用であるため、背中を洗うには長さが足りない、言い換えれば１枚のフェイスタオルで体洗いと保湿タオルの兼用ができない欠点がある。入浴用して体、背中を洗うことができない。特許文献2は、顔と顎までカバーしているが、首までは至らず、かつ切れ目が多く、風呂場で体、背中を洗うには耐久性の問題があるといえる。体を洗うには適していない。本願発明は、家庭用のいわゆるフェイスタオル、サイズ例は長さ７８ｃｍから８５ｃｍ、幅約３５ｃｍの細長いタオルで、当然背中を洗えるし、あわせて顔および首までの保湿用にも兼用で使えるとしたもので明らかに異なるといえる。
【先行技術文献】
【特許文献】
【０００３】
【特許文献１】特開２００８−２７８９２７
【特許文献２】特開２００２−３１５６２６
【発明の概要】
【発明が解決しようとする課題】
【０００４】
浴用としての市販タオルは、幅はおおむね３４ｃｍ〜３５ｃｍであるが、長さは、７８ｃｍ〜８５ｃｍとばらつきが大きい。体を洗うのに折り重ね、背中を洗うのに両端を持って擦る用途が主であり、タオル掛けにかけて乾燥させるのが家庭での一般的扱い方法、使用法である。しかしながら、衛生的観点からタオルを湯船につけることは大衆浴場では禁じられており、一般的とは言えない。ところが、家庭内であれば、許しを得やすいし、また最後に入る時と限れば了解を得やすい。あるいは、体を洗うのでなく、顔に載せるだけの用途に限れば家族で共通の１枚とすればタオル掛けのスペースを取らない。タオル掛けのスペースのある大きな風呂場なら各自１枚ずつ専用としてもよいが。２つ折り３つ折りして、湯船の中で顔に載せれば快適である。
入浴は至福の時である。最大限リラックスしたいもの。浴槽ではゆったりとした時間が流れる。この時間を有効利用したい。自宅の風呂では、お湯もあり、浴用タオルもあり、時間もあり、枕となる浴槽の縁もあるという活用条件に恵まれている。まず、タオルで体を洗うときは浴槽外であり、続いて浴槽内で顔の上にタオルを乗せ保湿することができれば一品二役。入浴からの順序は人により逆の場合もある。しかも顔を保湿する時間が浴槽中なので体を洗う作業と重複せず、手を動かさずとも顔の上で入浴時間中、自動的に保湿してくれる。まさしく一本のタオルで、体も洗え、保湿もでき、時間も無駄なく、さらには用途を兼ねればタオルかけのスペースも２本分の余分を必要とせず、有効利用できるといえる。タオルを湯船につけて濡らせばすぐ蒸しタオルとなり、顔にかければまさしく美容サロンにきた気分になる。保湿効果も十分である。ところが、浴用タオル自体は本来、体、背中を洗うためのものであり長いのが特徴で顔を覆うには長すぎる。そこで湯船に浸かりながらでも２つ折りとすれば概ね適切な長さになる。また、顔にかけたタオル自体は１枚状態では薄く、すぐ水分が抜け落ち乾燥して保湿力が低下するので、お湯を度々タオルの上からかける必要があり、リラックスどころでなくなる。折たたんで２重とすれば保湿力、その維持力も十分確保でき課題が解決できる。タオルが滑り落ちないためにも顔は斜め上を向いた状態、浴槽の縁に後頭部を載せた状態の姿勢をとるとよい。一方、濡れたタオルは生地の穴を水でふさぐので、口にくっ付き、すぐ息苦しくなる。そこで、鼻、口の当たる位置に穴を明ければ呼吸も十分確保でき課題を解決できる。ところが、鼻穴に合わせて、また唇形に合わせて細長い穴として、離隔して２個の穴を明けるとなると、穴間の距離が近く、穴形状、大きさも異なり、２個の絶対的位置関係にずれを生じやすく、濡れていることもあり隣接間でタオル形状が崩れやすい。また、２重としたタオルでは上層、下層の計４個の穴を設ける必要があり上下の位置関係もずれやすくなる。そして、浴用タオルには、本来の体を洗う目的があり、背中を繰り返し洗う力、過酷な状況に近接した２個の穴、計４個の穴は耐えがたいと想像される。呼吸は鼻、口で適当に分担して行われることもあり、また鼻の高さでタオルを持ち上げるので、肌との間に空間ができ、鼻穴や口とも密着せず呼吸は楽にできる。そこで、隣接間の２個の穴でなく統合し上下層１個ずつの穴とすることで呼吸の困難性のみならずタオルの耐久性の弱点を克服することができ課題を解決できる。あわせて、折りたたんだ時の穴の位置、大きさを同じとすることで、浴槽内でタオルの穴を容易に重ね合わせができ、重ね合わせの煩わしさ、位置のずれを解消でき課題が解決できる。また、タオルの中央で２つ折りに畳んで折り返しするとして、その折り返し部の両端を両手で湯船から持ち上げ、顔の上方とすることで、水の重さで簡単に２つ折りのタオルの端がそろい、穴位置もそろう。水が吐け、形が整いやすくなる。穴から下も適当な長さを確保するので顎、首部も覆うことができ、首のシワが伸びる効果も期待できる。穴の位置は中央とし、縦方向に対称とすることでタオルのどちらを上方向にするかの上下の位置関係、穴を明ける位置関係の煩わしさの課題を解決できる。
一つ穴の形状は特に口に合わせて横に細長くする必要もなく概円形とする、そうすることで、呼吸もしやすく、かつ歪んだ形状でないのでタオルの耐久性が特に劣ることはないといえる。大きさは、試行から直径が概３〜４ｃｍが最適といえるが、性別、年齢とかで顔の大きさが異なるので、多少大きめの方が、ずれを吸収し多くの人に対応できる。２ｃｍ〜５ｃｍと使用する人により多種類あった方がよいといえる。目の部位は、居間にいるように特に目を開けてテレビを見る必要もなく、むしろ閉じて保温した方が目球の疲労回復、リラックスに役立つといえる。すなわち、目の部位には開口を設けない。当然、穴明けは、自動織機以外はタオル生地を切断すると糸のほころびがあるので、切り口の縁端部を縫製とかバイアステープで縁取りする必要がある。１枚のタオルの２つ折りの簡単作業で、バスタイムを顔および首の保湿、美顔に活用でき満足度が向上し課題は解決する。
ここで、タオルの両端重ね部からと折り返し部からの２方向のケースで、タオルの先端を湯につけた時の毛細管現象、すなわち、時間経過で湯面から湯水が上昇して濡れる高さを測定する実験をした。表ー１は、４種類のタオルで、自然現象である毛細管現象により概ね１０ｃｍ以上に湯が上がってくる結果である。このことは、湯舟にタオル先端が５ｃｍ以上浸かっていれば、そこからの１０ｃｍ、すなわちタオル端部から５＋１０＝１５ｃｍは、特に湯を掛けずに、毛細管現象という自然現象を利用するだけで暖かい湿気、保湿ができるといえる。さらには、毛細管現象は鉛直高さに上昇するので、顔を４５度傾ければ１０ｃｍは、１０＊√２＝１０＊１．４１４２≒１５ｃｍの長さになるので、５ｃｍが湯に浸かっているとすると５＋１５＝２０ｃｍのタオル長さほどは、湯気、湯分が上がってくるといえる。タオルの上からパシャパシャとたびたび湯を補給する煩わしい動作、作業もなく、そのままの傾斜姿勢を維持するだけで良いというまさに至福のリラックスタイムを演出してくれる。下の５ｃｍを丸めて首に挟めばあご枕、首枕となり鼻歌が出そうである。ただし、上部の顔部分は乾燥しやすいので湯をかける必要があるが、下から常時補水されるので、時々にパシャパシャとする程度で絶対量も少ないといえる。薄地のタオルなら、３つ折りも可能である。この場合の穴は３個で、３つ折りしたタオルの中央に穴位置を揃える。
【表１】
2020130315.tif 000003
【課題を解決するための手段】
【０００５】
このような課題を解決するために、本発明の浴槽で使用する顔および首の保湿用のフェイスタオル、浴用タオルまたは手ぬぐいは、入浴時に体、背中を洗うフェイスタオル、浴用タオルまたは手ぬぐいに２個の円形状の穴を設け、直径は２ｃｍから５ｃｍとし、穴の位置は横幅方向の中央で、かつ縦長手方向の端部または２つ折りしたときの中央から穴の中心までを１０ｃｍ以上とし、浴槽で前記タオルまたは手ぬぐいを縦方向に２つ折りして顔にのせると、穴が重なり呼吸用の穴となり、かつ毛細管現象で、首下につかった湯舟からの湯分が穴に向かって常に上昇、補給されることを特徴とする。
【０００６】
また、本発明の浴槽で使用する顔および首の保湿用のフェイスタオル、浴用タオルまたは手ぬぐいは、入浴時に体、背中を洗うフェイスタオル、浴用タオルまたは手ぬぐいに２個または３個の円形状の穴を設け、直径は２ｃｍから５ｃｍとし、穴の位置は横幅方向の中央、かつ縦長手方向に２つ折りまたは３つ折りしたときに折りたたんだ中央とし、浴槽で前記タオルまたは手ぬぐいを顔にのせるとき顔、口の上下方向の位置を迷わず選択でき、２個または３個の穴が重なり呼吸用の穴となり、かつ毛細管現象で、首下につかった湯舟からの湯分が穴に向かって常に上昇、補給されることを特徴とする。
【発明の効果】
【０００７】
毛細管現象という自然現象を利用するだけで、湯舟から常時お湯分が上昇し、補給される。タオルが乾燥してきても、すぐ湯分が上昇してくる。すなわち、湯分は常時補給されているといえる。湯舟につかっているだけでらくちんである。もちろん体を洗うタオルとして使いながら、リラックス効果、保湿効果、美肌効果、疲労回復が得られる。入浴しているその同じ時間を有効に使う。まさしく最大効果が得られ、至極のリラックスタイムを過ごせる。首回り、のどのしわも気になるところだが、タオル長さが残って口から垂れた部分、浴槽内の部分を丸めてのどの下に挟む、巻きつける、いわゆる首枕、のど枕としても新しい発見、快適である。一枚のタオルで体、特に背中を洗う時と保湿用に兼用できることで、タオルかけのスペースも余分に取らない。毎日の入浴時間を有効利用できる。習慣とすれば毎日のリラックスタイムとなる。もちろん保湿による美肌効果もある。毎日の入浴時に使用するタオルで、湯舟に浸かった時にタオルで保湿すれば、肌の保湿、目の保温と疲労回復ができ、リラックス時間が効率的。鼻と口の開口からの呼吸も楽で、顔を上にするだけで浴槽の縁部に後頭部をもたれ掛かると気持ちよくなる。無理なく、楽であることから継続もたやすい。何より耐久性を損なわないので繰り返し使用でき、必要とする材料は湯舟の湯の少しだけを自然現象の毛管現象を利用してポンプアップするだけなので費用ゼロといってよい。タオルを家族の各自専用で使いたいときは、家族分を浴槽の上の物掛け棒にハンガーを掛ければ、５人分としても直角方向だけのスペースなのであまり邪魔にならない。穴の位置や穴の大きさを５種類とすれば、５種類セットで購入すれば各種楽しめるし、うち２種を重ねれば４枚の厚みとなり、保湿が更に充実するといえる。
【図面の簡単な説明】
【０００８】
【図１】浴槽で顔、首にタオルをのせて保湿している様子
【図２】タオルの端部から１０ｃｍ以上の位置に対称の穴を設けたタオル
【図３】２つ折りしたタオルの、中央折り目から１０ｃｍ以上の位置に対称の穴を設けたタオル
【図４】タオルを２つ折りしたときに、穴が中央となる位置に重なるタオル
【図５】タオルを３つ折りしたときに、穴が中央となる位置に重なるタオル
【発明を実施するための形態】
【０００９】
タオル、手ぬぐいは２つ折り、又は３つ折りとし、呼吸用の穴を折り重なるように設ける。穴の位置を上下に対称とすれば、顔と首の上下方向、すなわちタオルの上下方向を迷わない。かつ丁度いいように鼻口を合わすことができる。大きさは、鼻の穴の鼻穴間の長さ程度、あるいは口の長さを最大とする。切り口は、鼻に合わせて立体に仕上げる必要はなく、水平でいい。糸のほぐれ防止に、縁取りが必要。鼻口の開口だけでは息苦しくなるが鼻の高さで開口部が持ち上がり、立体的となり空間ができ呼吸は楽である。顔への載せ方は口を中心とするか鼻を中心とするか、あるいはその中間とするかは、各自で選択すればよい。
【実施例１】
【００１０】
タオルを２つ折りとしても顔の長さより長いが、一方を髪、額の部分、他方を浴槽内の首の部分に密着すれば、水分を含んで顔表面で滑り落ちず、安定する。上下左右対称なので顔に載せる時にタオルの上下、裏表を迷うことがない。かつ、鼻口の穴の位置がずれないで、すぐ探し出すことができる。
【実施例２】
【００１１】
タオルを３つ折りとしても顔を覆うに十分である。２つ折りの場合の縦横を９０度回転させたといえる。３つ折りなのでさらに十分に水分を含んで顔表面で滑り落ちず、安定する。上下左右対称なので顔に載せる時にタオルの上下、裏表を考える必要がない。かつ、鼻口の位置がずれないで、すぐ探し出せる。
【符号の説明】
【００１２】
１タオル
２穴
３頭
４目
５口
６湯舟
７浴槽の縁部
Aタオルの横幅
Bタオルの縦長手方向の長さ
Cタオルの端部、または中央からの距離
【図１】
2020130315.tif 000004
【図２】
2020130315.tif 000005
【図３】
2020130315.tif 000006
【図４】
2020130315.tif 000007
【図５】
2020130315.tif 000008
【手続補正書】
【提出日】令和1年5月7日(2019.5.7)
【手続補正２】
【補正対象書類名】特許請求の範囲
【補正対象項目名】全文
【補正方法】変更
【補正の内容】
【特許請求の範囲】
【請求項１】
入浴時に体、背中を洗うフェイスタオル、浴用タオルまたは手ぬぐいに２個の円形状の穴を設け、直径は２ｃｍから５ｃｍとし、穴の位置は横幅方向の中央で、かつ縦長手方向の端部または２つ折りしたときの中央から穴の中心までを１０ｃｍ以上とし、浴槽で前記タオルまたは手ぬぐいを縦長手方向に２つ折りして顔にのせると、穴が重なり呼吸用の穴
となり、かつ毛細管現象で、首下の湯につかったタオルの先端から、湯分が穴に向かって常に上昇、補給されることを特徴とする浴槽で使用する顔および首の保湿用のフェイスタオル、浴用タオルまたは手ぬぐい。  
【請求項２】
入浴時に体、背中を洗うフェイスタオル、浴用タオルまたは手ぬぐいに２個または３個の円形状の穴を設け、直径は２ｃｍから５ｃｍとし、穴の位置は横幅方向の中央、かつ縦長手方向に２つ折りまたは３つ折りしたときに折りたたんだ中央とし、浴槽で前記タオルまたは手ぬぐいを顔にのせるとき顔、口の上下方向の位置を迷わず選択でき、２個または３個の穴が重なり呼吸用の穴となり、かつ毛細管現象で、首下の湯につかったタオルの先端から、湯分が穴に向かって常に上昇、補給されることを特徴とする浴槽で使用する顔および首の保湿用のフェイスタオル、浴用タオルまたは手ぬぐい。
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
入浴時に体、背中を洗うフェイスタオル、浴用タオルまたは手ぬぐいに２個の円形状の穴を設け、直径は２ｃｍから５ｃｍとし、穴の位置は横幅方向の中央で、かつ縦長手方向の端部または中央から穴の中心までを１０ｃｍ以上とし、浴槽で前記タオルまたは手ぬぐいを縦長手方向に２つ折りして顔にのせると、穴が重なり呼吸用の穴となり、かつ毛細管現象で、首下の湯につかった前記タオルまたは手ぬぐいの先端から、湯分が穴に向かって常に上昇、補給されることを特徴とする浴槽で使用する顔および首の保湿用のフェイスタオル、浴用タオルまたは手ぬぐい。  
【請求項２】
入浴時に体、背中を洗うフェイスタオル、浴用タオルまたは手ぬぐいに２個または３個の円形状の穴を設け、直径は２ｃｍから５ｃｍとし、穴の位置は横幅方向の中央、かつ縦長手方向に２つ折りまたは３つ折りしたときに折りたたんだ中央とし、浴槽で前記タオルまたは手ぬぐいを顔にのせるとき顔、口の上下方向の位置を迷わず選択でき、２個または３個の穴が重なり呼吸用の穴となり、かつ毛細管現象で、首下の湯につかった前記タオルまたは手ぬぐいの先端から、湯分が穴に向かって常に上昇、補給されることを特徴とする浴槽で使用する顔および首の保湿用のフェイスタオル、浴用タオルまたは手ぬぐい。
【手続補正書】
【提出日】令和1年11月13日(2019.11.13)
【手続補正２】
【補正対象書類名】特許請求の範囲
【補正対象項目名】全文
【補正方法】変更
【補正の内容】
【特許請求の範囲】
【請求項１】
入浴時に体、背中を洗うフェイスタオル、浴用タオルまたは手ぬぐいに２個の円形状の穴を設け、直径は２ｃｍから５ｃｍとし、穴の位置は横幅方向の中央で、かつ縦長手方向の端部または中央から穴の中心までを１０ｃｍ以上とし、浴槽で前記タオルまたは手ぬぐいを縦長手方向に２つ折りして顔にのせると、穴が重なり呼吸用の穴となり、かつ毛細管現象で、首下の湯につかった前記タオルまたは手ぬぐいの先端から、湯分が穴に向かって常に上昇、補給されるように、前記タオルまたは手ぬぐいの端部または中央を先端として湯舟につけることを特徴とする浴槽で使用する顔および首の保湿用のフェイスタオ ル、浴用タオルまたは手ぬぐいの使用方法。
【請求項２】
入浴時に体、背中を洗うフェイスタオル、浴用タオルまたは手ぬぐいに２個または３個の円形状の穴を設け、直径は２ｃｍから５ｃｍとし、穴の位置は横幅方向の中央、かつ縦長手方向に２つ折りまたは３つ折りしたときに折りたたんだ中央とし、浴槽で前記タオルまたは手ぬぐいを顔にのせるとき顔、口の上下方向の位置を迷わず選択でき、２個または３個の穴が重なり呼吸用の穴となり、かつ毛細管現象で、首下の湯につかった前記タオルまたは手ぬぐいの先端から、湯分が穴に向かって常に上昇、補給されることを特徴とする浴槽で使用する顔および首の保湿用のフェイスタオル、浴用タオルまたは手ぬぐい。